(57)【要約】【課題】温度変化による検出誤差を無くして高い精度で検出することができ、温度補正手段を必要としない傾斜検出器、およびこれを用いたレーザー墨出し器を得る。【解決手段】  ケーシング６と、ケーシングに取り付けられた光源２と、光源からの光ビーム２を光軸方向と異なる方向に反射する部材であって、ケーシング内の所定位置に吊り下げ部材によって吊り下げられる反射体４と、光ビームの投射位置に応じた信号を出力する検出器５と、を備え、反射体にて反射された光ビームの投射位置によって、ケーシングの傾きを検出する傾斜検出器。【選択図】図１
2010210481.tif 000002
【特許請求の範囲】
【請求項１】
ケーシングと、
上記ケーシングに取り付けられた光源と、
上記光源からの光ビームを光軸方向と異なる方向に反射する部材であって、上記ケーシング内の所定位置に吊り下げ部材によって吊り下げられる反射体と、
上記光ビームの投射位置に応じた信号を出力する検出器と、を備え、
上記反射体にて反射された光ビームの投射位置によって、上記ケーシングの傾きを検出する傾斜検出器。
【請求項２】
上記反射体の周囲を覆う透明液体と、この透明液体を保持する保持部材とを更に有し、
上記透明液体によって、上記ケーシングの傾斜に応じて揺動する上記反射体に制動をかけることを特徴とする請求項１記載の傾斜検出器。
【請求項３】
上記ケーシングの上部から複数の上記吊り下げ部材によって吊り下げされる反射体ホルダを更に有し、
上記反射体は、上記反射体ホルダに固定されることを特徴とする請求項１記載の傾斜検出器。
【請求項４】
上記反射体ホルダの底面には銅板が固着され、
上記ケーシングの底面内側には磁石が設置され、
上記銅板と上記磁石によって上記反射体ホルダに制動がかかることを特徴とする請求項３記載の傾斜検出器。
【請求項５】
上記光検出器は、受光面が複数に分割され、各受光面に対応した出力端子から検出信号を出力する請求項１乃至４のいずれかに記載の傾斜検出器。
【請求項６】
上記光検出器の各受光面に対応した出力端子から出力される検出信号の差によってケーシングの傾きを検出する請求項１乃至５のいずれかに記載の傾斜検出器。
【請求項７】
上記反射体の反射面は球面であることを特徴とする請求項１乃至６のいずれかに記載の傾斜検出器。
【請求項８】
レーザー光源から出射されるレーザー光束を一方向にのみ放射して鉛直方向のライン光または水平方向のライン光を投射するレーザー墨出し器であって、レーザー墨出し器本体に請求項１乃至７のいずれかに記載の傾斜検出器のケーシングが取り付けられているレーザー墨出し器。
【発明の詳細な説明】
【技術分野】
【０００１】
本発明は、レーザー墨出し器、測量機、測定器、その他、高精度の傾き角度検出が要求される装置や機器に用いる傾斜検出器、およびこれを用いたレーザー墨出し器に関するものである。
【背景技術】
【０００２】
レーザー墨出し器、測量機、測定器、その他高精度の傾き角度検出が要求される装置や機器においては、傾き角度を検出しながら、手動操作あるいは自動的な制御により、傾きがゼロとなるように調整するようにしたものがある。精度のよい傾き調整ないしは傾き制御を行うには、機器の傾きを精度良く検出する必要がある。従来、傾き角度の検出器として、気泡を利用したもの、電解液の電気抵抗を利用したものがある。
【０００３】
気泡を利用した傾斜検出器は、気泡管を挟んで一方側に配置した光源から光ビームを投射し、他方側に配置した光センサで光ビームの投射位置を検出することにより傾斜を検出するものである（例えば、特許文献１参照）。特許文献１記載の傾斜検出器は、光源からの光ビームを平行光束とし、この平行光束を気泡管に透過させ、この透過光を、レンズを通して光センサに導くようになっている。光センサは受光面が２分割または４分割された光電変換素子で、傾きのない状態では気泡管の気泡が中央にあって分割された各受光面の受光量に差がなく、傾きがあると気泡位置がずれて各受光面の受光量に差が生じるので、各受光面の検出出力の差をとることにより、傾きの向き、傾き角度を検出することができるように構成したものである。
【０００４】
電解液の電気抵抗を利用した傾斜検出器は、電解液を収容する容器の水平方向中心にコモン電極を配置し、コモン電極の両側に所定距離をおいて外側電極を配置してある。この傾斜検出器が傾斜することによって、外側電極の一方と他方とで電解液の接触面積に差が生じ、コモン電極に対する外側電極の一方と他方との間に電気抵抗の差が生じるので、この電気抵抗の差を検出することにより傾斜を検出するものである（例えば、特許文献２、特許文献３、特許文献４参照）。電解液の電気抵抗を利用した傾斜検出器も、電解液容器内に気泡が生じるように電解液を密封するもので、一種の気泡管を使用するものであるが、検出の原理が異なっている。
【０００５】
気泡管を利用したものにせよ、電解液の電気抵抗を利用したものにせよ、温度変化によって検出精度が低下する難点がある。気泡管を利用した傾斜検出器によれば、温度変化によって気泡が膨張、縮小し、センサによる検出特性が変化して検出精度が低下する。電解液の電気抵抗を利用した傾斜検出器によれば、電解液の抵抗が温度変化により変化するので、温度変化によって検出結果に誤差を生じる。このように、いずれの方式にせよ、従来の傾斜検出器には温度変化によって検出結果に誤差を生じるので、温度補正を行う必要があるという難点があるとともに、検出精度を高めることも難しい。
【０００６】
上記の傾斜検出器が有する課題である温度変化による検出誤差を解消し、かつ、温度補正手段を必要としない、傾斜検出器が知られている（例えば、特許文献５参照）
【先行技術文献】
【特許文献】
【０００７】
【特許文献１】特開平９−３０４０６０号公報
【特許文献２】特開平９−２５０９２３号公報
【特許文献３】特開平１０−３１８７４７号公報
【特許文献４】特開平８−２１９７８０号公報
【特許文献５】特開２００８−３０９６６０号公報
【発明の概要】
【発明が解決しようとする課題】
【０００８】
上記特許文献５に記載の傾斜検出器は、レンズを挟んで一方に配置した光源からの光ビームを、集光レンズを介して他方に配置した光センサに投射し、その投射位置を検出することで傾斜を検出するものである。特許文献５に記載の傾斜検出器は、特許文献１乃至４に記載の傾斜検出器に比べて、検出精度を高くすることができ、かつ、温度補正手段が不要である。しかしながら、傾きの検出精度をさらに高めるには、温度変化によって光センサにて生じる誤差を補正することが必要となる。
【０００９】
たとえば、使用環境の温度変化が０℃から４０℃のとき、光センサの出力電流変動は１０ｍＶ程度となる。光ビームの移動による光センサの出力変化量は１０００ｍＶ程度なので、最小検出角度は略２度となる。上記の使用環境下では、最大で０．０２度（±０．０１度）の検出角度誤差が生じることになる。すなわち、従来の傾斜検出器では、最小検出角度が略２度であって、その分解能は０．０２度となるため、これよりも微小な角度を検出するには、温度補正手段が必要となる。
【００１０】
本発明は、以上のような従来技術の問題点を解消し、より高い精度での微小角度を検出することができ、かつ、温度補正手段も不要な傾斜検出器、およびこれを用いたレーザー墨出し器を提供することを目的とする。
【課題を解決するための手段】
【００１１】
本発明に係る傾斜検出器は、ケーシングと、ケーシングに取り付けられた光源と、光源からの光ビームを光軸方向と異なる方向に反射する部材であって、ケーシング内の所定位置に吊り下げ部材によって吊り下げられる反射体と、光ビームの投射位置に応じた信号を出力する検出器と、を備え、反射体にて反射された光ビームが検出器に投射された位置によって、ケーシングの傾きを検出することを最も主要な特徴とする。
【００１２】
また、本発明は、上記傾斜検出器において、反射体の周囲を覆う透明液体と、この透明液体を保持する保持部材とを更に有し、透明液体によって、ケーシングの傾斜に応じて揺動する反射体に制動をかけることを特徴とする。
【００１３】
また、本発明は、上記傾斜検出器において、ケーシングの上部から複数の吊り下げ部材によって吊り下げされる反射体ホルダを更に有し、反射体は、反射体ホルダに固定されることを特徴とする。
【００１４】
また、本発明は、上記傾斜検出器において、反射体ホルダの底面には銅板が固着され、ケーシングの底面内側には磁石が設置され、銅板と磁石によって反射体ホルダに制動がかかることを特徴とする
【００１５】
また、本発明は、上記傾斜検出器において、光検出器は、受光面が複数に分割され、各受光面に対応した出力端子から検出信号を出力することを特徴とする。
【００１６】
また、本発明は、上記傾斜検出器において、光検出器の各受光面に対応した出力端子から出力される検出信号の差によってケーシングの傾きを検出することを特徴とする。
【００１７】
また、本発明は、上記傾斜検出器において、反射体の反射面は球面であることを特徴とする。
【００１８】
本発明に係るレーザー墨出し器は上記の傾斜検出器を備えていることを特徴とする。
【発明の効果】
【００１９】
ケーシングが傾くと、光源と光検出器もケーシングとともに傾くが、反射体は一定の姿勢を保つため、光源と光検出器に対して反射体が相対的に傾くことになる。これによって、反射体で反射され光検出器に投射される光ビームのスポット位置が変動する。光検出器への光ビームの投射位置の変動はケーシングの傾き方向および傾き度合に対応しているので、光検出器の出力信号からケーシングの傾き方向および傾き度合を検出することができる。
【００２０】
ケーシングの傾きと反射体の位置関係は、温度変動の影響を受けることがほとんどないから、温度変化による傾き検出誤差もほとんどなく、温度補正手段を設ける必要がない。その分構成が簡単になり、検出精度を低下させる要因も少なくなる。
【００２１】
また、反射面を球面とすることで、ケーシングの僅かな傾きであっても、光ビーム投射位置の変動が大きく、微小な傾き角度を精度よく検出することができるようになる。
【図面の簡単な説明】
【００２２】
【図１】本発明に係る傾斜検出器の実施例を示す縦断面図である。
【図２】上記傾斜検出器が一方向に傾いたときの例を示す縦断面図である。
【図３】上記傾斜検出器が他方向に傾いたときの例を示す縦断面図である。
【図４】上記実施例を示すもので、（ａ）は傾きがないときの光検出器および受光位置の例を示す図、（ｂ）上記実施例が一方向に傾いたときの光検出器および受光位置の例を示す図、（ｃ）は、上記実施例が反対方向に傾いたときの光検出器および受光位置の例を示す図である。
【図５】本発明に係る傾斜検出器の別の実施例を示す縦断面図である。
【図６】本発明に係る傾斜検出器の別の実施例を示す縦断面図である。
【図７】本発明に係る傾斜検出器が具える反射体と反射体ホルダの組み付け状態の例を示す拡大図である。
【発明を実施するための形態】
【００２３】
以下、本発明に係る傾斜検出器の実施例について図面を参照しながら説明し、併せて本発明に係る傾斜検出器を備えたレーザー墨出し器の実施例について説明する。
【実施例１】
【００２４】
図１は、本発明に係る傾斜検出器の構造を示す縦断面図である。図１において、傾斜検出器１０は、レーザー光である光ビーム１を出射する光源２と、光ビーム１を光軸方向に集光するレンズ３と、集光された光ビーム１を光軸方向と異なる方向に反射させる反射体４と、反射された光ビーム１が形成するスポット位置に応じて電気信号を出力するフォトダイオード（ＰＤ）などの光電変換素子からなる検出器である光センサ５と、これらの部材（光源２、レンズ３、反射体４、光センサ５など）を所定の位置関係に保持あるいは固定するケーシング６と、を有してなる。
【００２５】
光源２は、レーザダイオードであって、端子をハンダ付けして所定の信号処理を行う回路パターンを有する回路基盤２１に固定されている。
【００２６】
ケーシング６は、円筒もしくは多角柱に類する外観形状を有し、内部は中空構造であって、土台となる底面部の底面側中心付近には、上方向に向けて所定の高さで凹んでいる凹み部６１が形成されている。この凹み部６１の中央付近には、ケーシング６の内部空間に連通し、光ビーム１の光路となる連通孔６２が形成されている。また、凹み部６１には、光ビーム１の出射方向が上方となるように、光源２が連通孔６２の内周面に嵌合され、凹み部６１に回路基盤２１が固定されている。
【００２７】
連通孔６２は、ケーシング６の内部空間の上方に向けて所定の長さを有する孔であって、その高さ方向中間付近の内周には突起部６２ａを有している。光源２から出射された光ビーム１を集光するレンズ３は、この突起部６２ａに嵌合されて固定されている。すなわち、突起物６２ａはレンズホルダの役割を果たしている。
【００２８】
レンズ３は、光源２から出射された拡散光である光ビーム１を光軸方向に集光するレンズであって、反射体４の反射面に所定の大きさで光スポットを形成するように屈折力を有している。このようにレンズ３は、集光作用を発揮するものであれば、その材質と形状は問わない。例えば、図１に示しているレンズ３は両凸レンズであるが、これに限ることなく、片凸レンズ、球レンズなどを用いても良い。
【００２９】
レンズ３を透過して集光された光ビーム１は、ケーシング６の内部空間の所定位置に配置される反射体４によって反射され、光センサ５に向けて投射される。反射体４の表面は、光ビーム１を反射する素材で覆われており、また、球面であるものが望ましい。なお、反射体４が反射素材で形成されてもよい。例えば、球形レンズがそれに該当する。反射面が球面であれば、微小な傾きによって生じる反射面の変動が大きく、光ビーム１の反射角の変化が大きくなるから、光センサ５に投射される光ビーム１の位置変動も大きくなるので、好適である。本願発明に係る傾斜検出器に用いる反射体の外形は、反射面が球面になっていれば、球形に限られることは無く、半球体や、円錐形であってもよい。
【００３０】
ケーシング６の内部空間には、ケーシングの天井部に形成される孔６３に嵌合された固定具６４に端部が固定され、他方の端部に反射体ホルダが固着されている吊り下げ部材４１が鉛直に垂下している。
吊り下げ部材４１は、バネ用鋼線のように剛性があるものであっても、撚り線のような腰のない糸状のものでもよい。  
【００３１】
反射体４は、吊り下げ部材４１の端部に固着されている反射体ホルダ４２に固着されている。図７を用いて、反射体４と、吊り下げ部材４１と、反射体ホルダ４２との組み付け状態を説明する。図７に示すように、反射体ホルダ４２は、断面がＨ形の部材であって、中心部を上下方向に連通する孔が形成され、この孔に吊り下げ部材４１が挿通され、上側の凹みに接着剤４２ａが流し込まれて、吊り下げ部材４１の下端部が固着されている。
【００３２】
また、反射体ホルダ４２の下側の端部内周面は面取りがされており、反射体４が嵌合しやすく加工されている。この内周面に反射体４を当接させ、当接面の周囲に接着剤を塗布することにより反射体４を固着させている。
上記の構成よって反射体４、吊り下げ部材４１、反射体ホルダ４２は一体として形成され、吊り下げ部材４１の上端部をケーシング６の天井部に固定することで、反射体４は、ケーシング６の中空内に所定の高さをもって、揺動自在に設置される。
【００３３】
本発明に係る傾斜検出器は、反射体ホルダ４２を用いずに反射体４を直接吊り下げ部材４１に固着してもよい。しかし、反射体ホルダ４２を用いることで、振り子運動する部分の重量調整が容易になり、傾斜検出器の精度調整が容易となるので、反射体ホルダ４２を用いて反射体４を設置することが好適である。
【００３４】
図１に戻る。光センサ５は、ケーシング６の側面（図１において右側側面）に設けられた孔６５において、内部空間方向に受光面が向けられて固定されている。より具体的には、光センサ５の端子をハンダ付けして所定の信号処理を行う回路パターンを有する回路基盤５１が、上記孔６５を外側から塞ぎ、かつ、光センサ５が上記の向きになるように固定されている。
【００３５】
反射体４によって反射された光ビーム１が、ケーシング６の傾きがない状態では、光センサ５の中心に所定の大きさのビームスポットを形成するように、上記吊り下げ部材４１の長さと位置が調整されている。ケーシング６の傾きがない状態では、光源２から出射された光ビーム１の仮想的な光軸中心線と、光センサ５にスポットを形成する反射光の仮想的な光軸中心線が９０°の角度をなし、光ビーム１が投射される反射面の接線が鉛直方向に対して４５度であることが好適である。
なお、ケーシング６の傾きが無い状態での反射体４の設置位置は、上記の設置条件に限ることなく、反射光が光センサ５の中心に所定の大きさのスポットを形成する位置であればよい。
【００３６】
図２は、上記の傾斜検出器１０が右に傾いた状態を示す縦断面図である。図２に示すように、光検出器１０が右に傾くと、この傾きに伴って、光源２の向きも右方向に傾くので、光ビーム１の光軸も傾くことになる。反射体４は、これらの傾きとは無関係に、水平時と同じ位置で鉛直に留まる。そうすると、光ビーム１が反射体４にあたる位置が反射体４の下部方向にずれる。また、傾斜検出器１０の傾きに伴って反射された光ビーム１の光軸に対する光センサ５の相対的な位置は、上方に変移する。従って、光スポットの位置は水平時に比べて下方に変動することになる。このように、傾斜検出器１０が右方向に傾くと、光センサ５の投射される光スポットの位置は水平時に比べて下方向に変動するので、これを検出することによって、傾斜方向と傾斜量を検出することができる。
【００３７】
図３は、上記の傾斜検出器１０が左に傾いた状態を示す縦断面図である。図３に示すように、光検出器１０が左に傾くと、この傾きに伴って、光源２の向きも左方向に傾くので、光ビーム１の光軸も傾くことになる。反射体４は、これらの傾きとは無関係に、水平時と同じ位置で鉛直に留まる。そうすると、光ビーム１が反射体４にあたる位置が反射体４の上部方向にずれる。また、傾斜検出器１０の傾きに伴って反射された光ビーム１の光軸に対する光センサ５の相対的な位置は、下方に変移する。従って、光スポットの位置は水平時に比べて上方に変動することになる。このように、傾斜検出器１０が左方向に傾くと、光センサ５の投射される光スポットの位置は水平時に比べて上方向に変動するので、これを検出することによって、傾斜方向と傾斜量を検出することができる。
【００３８】
ここで、図４を用いて傾斜検出器１０の傾きと、光源２から出射されレンズ３で集光されて反射体４によって反射した光ビーム１によって、光センサ５上に形成される光スポットの関係を説明する。ケーシング６の壁面に内部に向けて固定されている光センサ５は、四角形の平板状に形成されていて、受光面が複数に等分されている。例えば、光センサ４は互いに直交する十字状の線に沿って４分割されている。
【００３９】
傾斜検出器１０に傾きがない状態では、光センサ５はその受光面が反射光の光軸に対して直交するように、また、上記直交する線の交点に反射体４の反射面が位置するように設置されているから、この光軸が光センサ５の互いに直交する十字状の分割線の交点にある。
【００４０】
したがって、光センサ５の受光面に投射される光ビームの投射パターン７は、図４（ａ）に示すように、上記十字状の線の交点を中心とした円形になる。説明の都合上、光センサ５の４つの受光面には、図４（ａ）に示すように、左上、右上、左下、右下の順に、符号ａ，ｂ，ｃ，ｄを付しておく。つまり、前記各受光面ａ，ｂ，ｃ，ｄの受光面積は等しく、各受光面ａ，ｂ，ｃ，ｄの出力信号は等しくなる。そこで、図４（ａ）に示す左側の受光面の出力と右側の受光面の出力の差をとると、
（ａ＋ｃ）−（ｂ＋ｄ）＝０
となる。また、図４（ａ）において、傾斜検出器１０の前後方向の傾きを表わす上側の受光面の出力と下側の受光面の出力の差をとると、
（ａ＋ｂ）−（ｃ＋ｄ）＝０
となる。このように、受光面の左右の出力差と上下の出力差がゼロになるように、吊り下げ部材４１の長さと位置を調整して反射体４を所定の位置に設置すれば、傾斜検出器１０の傾きゼロ点を調整することができる。
【００４１】
例えば傾斜検出器１０が組み込まれた機器が、光センサ５の受光面に正対した状態で右側に傾いたときは上記機器とともに傾斜検出器１０の光源２と光センサ５も右側に傾くが、反射体４は吊り下げ部材４１によって常に鉛直方向を保って所定位置に留まる。その結果、図４（ｂ）に示すように、反射体４によって反射される光ビーム１の光軸位置が光センサ５の左側に移動し、光センサ５の受光面に投射される光ビーム１の投射パターン７は左側に偏る。したがって、（ａ＋ｃ）−（ｂ＋ｄ）を演算するとプラスの値が出るので、この値がゼロになるように上記機器の傾きを修正ないしは制御する。
【００４２】
傾斜検出器１０が組み込まれた機器が、光センサ５の受光面に正対した状態で傾斜検出器１０と共に例えば左側に傾いたときは、図４（ｃ）に示すように、反射体４によって反射される光ビーム１の光軸位置が光センサ５の左側に移動し、光センサ５の受光面に投射される光ビーム１の投射パターン７が右側に偏る。したがって、（ａ＋ｃ）−（ｂ＋ｄ）を演算するとマイナスの値が出るので、この値がゼロになるように上記機器の傾きを修正ないしは制御する。
【００４３】
上記の説明では、傾斜検出器１０が左右方向に傾いた場合を例に挙げて説明したが、傾斜検出器１０が前後方向に傾いた場合も同様の原理によって、傾斜検出器１０の傾きを修正ないしは制御することができる。この場合は、４分割された受光面の出力から、（ａ＋ｂ）−（ｃ＋ｄ）を演算し、その結果がゼロになるように傾斜検出器１０の傾きを修正ないしは制御する。
【実施例２】
【００４４】
次に、本発明に係る傾斜検出器の別の実施例について説明する。図５において、傾斜検出器１０ａは、すでに説明をした傾斜検出器１０の構成に加えて、反射体４の周囲を液体で満たし、ケーシング６の傾きによる反射体４の動きに制動を加える構造を有している。  図５において、傾斜検出器１０ａは、ケーシングの天井部の孔６３に嵌合された固定具６４ａに端部が固定された吊り下げ部材４１によって、ケーシング６の内部空間に配置される反射体４の周囲を覆うように管部材４３が固定されている。
【００４５】
管部材４３の内部は、透明な液体４４が充填されており、反射体４の揺動に対して制動力が働くように構成されている。この液体４４による制動力が、ケーシング６に急な傾きが生じたときであっても、素早く、かつ、精度よく反射体４を所定の位置で静止させるので、傾斜の検出をおこなうことができるようになる。
【００４６】
管部材４３は透明な素材からなるものであって、例えばガラス管である。反射体４にて反射される光ビーム１を屈折させることがないものであればよい。
液体４４は、透明度が高く変質劣化が少ないものであれば良く、例えば、透明度の高いシリコンオイルである。
【実施例３】
【００４７】
次に、本発明に係る傾斜検出器の別の実施例について説明する。図６において、傾斜検出器１０ｂは、光ビーム１を出射する光源２が、ケーシング６ｂの天井部側に配置され、球形の反射体４は、天井部から吊り下げされた反射体ホルダ４２ｂによって所定の位置に配置され、光源２と反射体４の間には、実施例１、２と同様に集光レンズ３が配置されている。
【００４８】
光源２から出射された光ビーム１は、集光レンズ３によって光軸方向に集光されて、反射体４にて反射され、ケーシング６ｂの側面に固定されている光センサ５にビームスポットを形成する。
【００４９】
光源１、集光レンズ２を固定するホルダ６５は、ケーシング６ｂの天井部に形成された孔に嵌合され、固定されている。ホルダ６５は、外形が上端部にフランジ形状の部分を有する円筒形であって、フランジ部分の中央に光源１が嵌合され、円筒部分の内部空間が光ビーム１の光路となる連通孔６２ｂになっている。フランジ部分の外周がケーシング６ｂの天井部に嵌合されることで、ホルダ６５はケーシング６ｂに固定されている。連通孔６２ｂの中間付近には、集光レンズ２を固定する突起が形成され、この突起に当接して集光レンズ３が固定されている。
【００５０】
ホルダ６５のフランジ部分には、複数の吊り下げ部材４２ｂの端部を固定され、ケーシング６ｂの内部空間に複数の吊り下げ部材４２ｂが垂下している。この吊り下げ部材４２ｂの他方の端部に、反射体ホルダ４２ｂが固定されている。反射体４２ｂの中央付近には反射体４を固定する凹みが形成され、この凹みに反射体４が固着されている。
【００５１】
ケーシング６が傾くと、光源２、集光レンズ３、光センサ５はそれに伴って傾斜するが、吊り下げ部材４１ｂによって、反射体ホルダ４２ｂは鉛直方向で姿勢を保って所定の位置に留まる。その結果、反射体４にあたる光ビーム１の光軸が相対的に変動し、光センサ５に投射されるビームスポットが変動する。この変動を上記実施例１にて説明した同じ構成を有する光センサ５によって検出し、ケーシング６の傾斜角度を検知することができる。
【００５２】
反射体ホルダ４２ｂの底面部には、銅板４２ｃが接着されており、この銅板４２ｃと対向する位置のケーシング６ｂの内部底面には磁石４５が設置されている。上記のようにケーシング６ｂが傾いたとき、反射体ホルダ４２ｂは相対的に傾くが、銅板４２ｃと磁石４５によって生じる渦電流損によって、制動がかかり、反射体ホルダ４２が傾き応じた位置で早く静止するようになる。
【００５３】
以上説明した傾斜検出器の実施例によれば、従来の傾斜検出器のように、気泡管、あるいは電解液を封入した容器などを使用する必要がなく、また、光源と光検出器との間に配置されるレンズをケーシングから吊り下げずに、軽量は反射部材だけを吊り下げる構成で足りるので、構成およびメンテナンスが容易な傾斜検出器を得ることができる。
また、液体や気泡を利用するものではないことから、温度変化の影響がほとんどなく、温度補正を不要としながら高精度の傾斜検出が可能である。
【００５４】
また、上記の傾斜検出器によれば、レンズによって集光した光ビームを光センサに投射するのではなく、球面にて反射させた反射光を光センサに投射するので、僅かな傾きであっても、光センサ上のスポットの変動は大きくなり、微小な傾きを精度よく検出することができる。
【００５５】
また、分解能を従来の傾斜検出器よりも細かくすることができるので、周囲温度の変動による光センサの出力変動を補正する手段を用いることなく、従来よりも分解能が高い傾斜検出器を得ることができる。
【００５６】
以上説明した傾斜検出器は、これをレーザー光源から出射されるレーザー光束を一方向にのみ放射して鉛直方向のライン光または水平方向のライン光を投射するレーザー墨出し器に設置するとよい。レーザー墨出し器本体に本発明にかかる傾斜検出器を設置し、レーザー墨出し器本体の傾きがゼロになるように調整する。あるいは、レーザー墨出し器本体に対して姿勢制御可能に設けられた光源ユニットホルダの傾きを本発明に係る傾斜検出器で検出し、光源ユニットホルダをその傾きがゼロになるように制御する。上に述べたような本発明に係る傾斜検出器によって得られる効果と同様の効果を得ることができるレーザー墨出し器を得ることができる。
【符号の説明】
【００５７】
１    光ビーム
２    光源
３    レンズ
４    反射体
４１  吊り下げ部材
５    光センサ
６    ケーシング
【図１】
2010210481.tif 000003
【図２】
2010210481.tif 000004
【図３】
2010210481.tif 000005
【図４】
2010210481.tif 000006
【図５】
2010210481.tif 000007
【図６】
2010210481.tif 000008
【図７】
2010210481.tif 000009